(57)【要約】【課題】無線通信のためにレートマッチング及び干渉測定リソースを構成する方法及び装置を提供する。【解決手段】方法及び装置がＺＰ−ＣＳＩ−ＲＳ構成の表示及び識別を行う。識別のための方法は、１つ以上の制御メッセージの受信に応じてＤＣＩフォーマット及びＺＰ−ＣＳＩ−ＲＳ構成を識別するステップを含み、ここで、第１のＺＰ−ＣＳＩ−ＲＳ構成又は複数の構成のセットは、ＤＣＩフォーマット１Ａのために使用されるように構成され、第２のＺＰ−ＣＳＩ−ＲＳ構成又は複数の構成のセットは、ＤＣＩフォーマット２Ｄ又は２Ｃのために使用されるように構成される。また、方法は、識別されたＺＰ−ＣＳＩ−ＲＳ設定に基づいてＰＤＳＣＨレートマッチングを識別するステップを含む。表示のための方法は、ＤＣＩフォーマットの表示を有する動的シグナリング制御メッセージを送信するステップを含む。また、方法は、ＺＰ−ＣＳＩ−ＲＳ構成又は複数の構成の表示を有する上位レイヤーシグナリング制御メッセージを送信するステップを含む。【選択図】図１０
2019180085.tif 000002
【特許請求の範囲】
【請求項１】
物理ダウンリンク共有チャネル（ＰＤＳＣＨ）をデコーディングする方法であって、
複数のチャネル状態情報（channel state information：ＣＳＩ）参照信号（reference signal：ＲＳ）設定を識別するステップと、ここで、前記複数のＣＳＩ−ＲＳ設定の各々は、ゼロ出力チャネル状態情報参照信号（ＺＰ−ＣＳＩ−ＲＳ）情報、ＰＤＳＣＨの開始位置情報、及び準コロケーション（quasi-colocation：ＱＣＬ）情報を含むパラメータセットで構成され、
前記ＰＤＳＣＨがダウンリンク制御情報（ＤＣＩ）フォーマット１Ａに関連するものであり、アンテナポート７を通して伝送された場合、前記複数のＣＳＩ−ＲＳ設定のうちの前記ＤＣＩフォーマット１Ａと前記アンテナポート７に対応するように端末に設定された第１のＣＳＩ−ＲＳ設定に含まれた第１のパラメータセットを用いて前記ＰＤＳＣＨをデコーディングするステップと、を有し、
前記ＰＤＳＣＨがＤＣＩフォーマット２Ｄに関連するものである場合に、前記ＰＤＳＣＨは、前記複数のＣＳＩ−ＲＳ設定のうち、前記ＤＣＩフォーマット２Ｄに含まれた２ビットフィールド値により指示される第２のＣＳＩ−ＲＳ設定に含まれた第２のパラメータセットを用いてデコーディングされ、
前記ＰＤＳＣＨが前記ＤＣＩフォーマット１Ａに関連するものであり、複数のアンテナポートを通して伝送された場合には、前記ＰＤＳＣＨは、前記複数のＣＳＩ−ＲＳ設定のうちの第２のＺＰ−ＣＳＩ−ＲＳ設定に含まれた第２のパラメータセットを用いてデコーディングされることを特徴とするデコーディング方法。
【請求項２】
前記ＰＤＳＣＨがＤＣＩフォーマット１Ａに関連するものであり、アンテナポート７を通して伝送され、前記端末が伝送モード１０に設定された場合に、前記ＰＤＳＣＨは、前記第１のＣＳＩ−ＲＳ設定を用いてデコーディングされることを特徴とする請求項１に記載のデコーディング方法。
【請求項３】
前記ＣＳＩ−ＲＳ設定は、セル指定参照信号（ＣＲＳ）情報をさらに含むことを特徴とする請求項１に記載のデコーディング方法。
【請求項４】
上位階層シグナリングにより前記複数のＣＳＩ−ＲＳを有するように前記端末が設定されることを特徴とする請求項１に記載のデコーディング方法。
【請求項５】
物理ダウンリンク共有チャネル（ＰＤＳＣＨ）を伝送する方法であって、
複数のチャネル状態情報（channel state information：ＣＳＩ）参照信号（reference signal：ＲＳ）設定を識別するステップと、ここで、前記複数のＣＳＩ−ＲＳ設定の各々は、ゼロ出力チャネル状態情報参照信号（ＺＰ−ＣＳＩ−ＲＳ）情報、ＰＤＳＣＨの開始位置情報、及び準コロケーション（quasi-colocation：ＱＣＬ）情報を含むパラメータセットで構成され、
前記ＰＤＳＣＨがダウンリンク制御情報（ＤＣＩ）フォーマット１Ａに関連するものであり、アンテナポート７を通して伝送された場合、前記複数のＣＳＩ−ＲＳ設定のうちの前記ＤＣＩフォーマット１Ａと前記アンテナポート７に対応するように端末に設定された第１のＣＳＩ−ＲＳ設定に含まれた第１のパラメータセットを用いてエンコーディングされた前記ＰＤＳＣＨを送信するステップと、を有し、
前記ＰＤＳＣＨがＤＣＩフォーマット２Ｄに関連するものである場合に、前記ＰＤＳＣＨは、前記複数のＣＳＩ−ＲＳ設定のうち、前記ＤＣＩフォーマット２Ｄに含まれた２ビットフィールド値により指示される第２のＣＳＩ−ＲＳ設定に含まれた第２のパラメータセットを用いてエンコーディングされ、
前記ＰＤＳＣＨが前記ＤＣＩフォーマット１Ａに関連するものであり、複数のアンテナポートを通して伝送された場合には、前記ＰＤＳＣＨは、前記複数のＣＳＩ−ＲＳ設定のうちの第２のＺＰ−ＣＳＩ−ＲＳ設定に含まれた第２のパラメータセットを用いてエンコーディングされることを特徴とする伝送方法。
【請求項６】
前記ＰＤＳＣＨがＤＣＩフォーマット１Ａに関連するものであり、アンテナポート７を通して伝送され、前記端末が送信モード１０に設定された場合に、前記ＰＤＳＣＨは、前記第１のＣＳＩ−ＲＳ設定を用いてエンコーディングされることを特徴とする請求項５に記載の伝送方法。
【請求項７】
前記ＣＳＩ−ＲＳ設定は、セル指定参照信号（ＣＲＳ）情報をさらに含むことを特徴とする請求項５に記載の伝送方法。
【請求項８】
上位階層シグナリングにより前記複数のＣＳＩ−ＲＳを有するように前記端末が設定されることを特徴とする請求項５に記載の伝送方法。
【請求項９】
物理ダウンリンク共有チャネル（ＰＤＳＣＨ）をデコーディングする装置であって、
複数のチャネル状態情報（channel state information：ＣＳＩ）参照信号（reference signal：ＲＳ）設定を識別するように構成される制御器と、ここで、前記複数のＣＳＩ−ＲＳ設定の各々は、ゼロ出力チャネル状態情報参照信号（ＺＰ−ＣＳＩ−ＲＳ）情報、ＰＤＳＣＨの開始位置情報、及び準コロケーション（quasi-colocation：ＱＣＬ）情報を含むパラメータセットで構成され、
前記ＰＤＳＣＨがダウンリンク制御情報（ＤＣＩ）フォーマット１Ａに関連するものであり、アンテナポート７を通して伝送された場合、前記複数のＣＳＩ−ＲＳ設定のうちの前記ＤＣＩフォーマット１Ａと前記アンテナポート７に対応するように端末に設定された第１のＣＳＩ−ＲＳ設定に含まれた第１のパラメータセットを用いて前記ＰＤＳＣＨをデコーディングするように構成されるデコーダと、を有し、
前記デコーダは、
前記ＰＤＳＣＨがＤＣＩフォーマット２Ｄに関連するものである場合に、前記ＰＤＳＣＨは、前記複数のＣＳＩ−ＲＳ設定のうち、前記ＤＣＩフォーマット２Ｄに含まれた２ビットフィールド値により指示される第２のＣＳＩ−ＲＳ設定に含まれた第２のパラメータセットを用いてデコーディングし、
前記ＰＤＳＣＨが前記ＤＣＩフォーマット１Ａに関連するものであり、複数のアンテナポートを通して伝送された場合には、前記ＰＤＳＣＨは、前記複数のＣＳＩ−ＲＳ設定のうちの第２のＺＰ−ＣＳＩ−ＲＳ設定に含まれた第２のパラメータセットを用いてデコーディングすることを特徴とするデコーディング装置。
【請求項１０】
前記ＰＤＳＣＨがＤＣＩフォーマット１Ａに関連するものであり、アンテナポート７を通して伝送され、前記端末が送信モード１０に設定された場合に、前記ＰＤＳＣＨは、前記第１のＣＳＩ−ＲＳ設定を用いてデコーディングされることを特徴とする請求項９に記載のデコーディング装置。
【請求項１１】
前記ＣＳＩ−ＲＳ設定は、セル指定参照信号（ＣＲＳ）情報をさらに含むことを特徴とする請求項９に記載のデコーディング装置。
【請求項１２】
上位階層シグナリングにより前記複数のＣＳＩ−ＲＳを有するように前記端末が設定されることを特徴とする請求項９に記載のデコーディング装置。
【請求項１３】
物理ダウンリンク共有チャネル（ＰＤＳＣＨ）を伝送する装置であって、
複数のチャネル状態情報（channel state information：ＣＳＩ）参照信号（reference signal：ＲＳ）設定を識別するように構成される制御器と、ここで、前記複数のＣＳＩ−ＲＳ設定の各々は、ゼロ出力チャネル状態情報参照信号（ＺＰ−ＣＳＩ−ＲＳ）情報、ＰＤＳＣＨの開始位置情報、及び準コロケーション（quasi-colocation：ＱＣＬ）情報を含むパラメータセットで構成され、
前記ＰＤＳＣＨがダウンリンク制御情報（ＤＣＩ）フォーマット１Ａに関連するものであり、アンテナポート７を通して伝送された場合、前記複数のＣＳＩ−ＲＳ設定のうちの前記ＤＣＩフォーマット１Ａと前記アンテナポート７に対応するように端末に設定された第１のＣＳＩ−ＲＳ設定に含まれた第１のパラメータセットを用いてエンコーディングされた前記ＰＤＳＣＨを送信するように構成される送信器と、を有し、
前記ＰＤＳＣＨがＤＣＩフォーマット２Ｄに関連するものである場合に、前記ＰＤＳＣＨは、前記複数のＣＳＩ−ＲＳ設定のうち、前記ＤＣＩフォーマット２Ｄに含まれた２ビットフィールド値により指示される第２のＣＳＩ−ＲＳ設定に含まれた第２のパラメータセットを用いてエンコーディングされ、
前記ＰＤＳＣＨが前記ＤＣＩフォーマット１Ａに関連するものであり、複数のアンテナポートを通して伝送された場合には、前記ＰＤＳＣＨは、前記複数のＣＳＩ−ＲＳ設定のうちの第２のＺＰ−ＣＳＩ−ＲＳ設定に含まれた第２のパラメータセットを用いてエンコーディングされることを特徴とする伝送装置。
【請求項１４】
前記ＰＤＳＣＨがＤＣＩフォーマット１Ａに関連するものであり、アンテナポート７を通して伝送され、前記端末が送信モード１０に設定された場合に、前記ＰＤＳＣＨは、前記第１のＣＳＩ−ＲＳ設定を用いてエンコーディングされることを特徴とする請求項１３に記載の伝送装置。
【請求項１５】
前記ＣＳＩ−ＲＳ設定は、セル指定参照信号（ＣＲＳ）情報をさらに含むことを特徴とする請求項１３に記載の伝送装置。
【請求項１６】
上位階層シグナリングにより前記複数のＣＳＩ−ＲＳを有するように前記端末が設定されることを特徴とする請求項１３に記載の伝送装置。
【発明の詳細な説明】
【技術分野】
【０００１】
本発明は、一般に、無線通信システムに関し、より詳細には、協調マルチポイント（coordinated multipoint：ＣｏＭＰ）送信のためのレートマッチング及び干渉測定リソースの構成に関する。
【背景技術】
【０００２】
ＣｏＭＰ技術は、ユーザ端末（ＵＥ）が異なる使用シナリオで多重送信ポイント（ＴＰ）から信号を受信することができるようにするために標準化された。異なるシナリオは、次のようである：１）イントラサイトＣｏＭＰを有する同種ネットワーク、２）高い送信（Ｔｘ）電力遠隔無線ヘッド（remote radio head：ＲＲＨ）を有する同種ネットワーク、３）ＲＲＨにより生成された送受信ポイントがマクロセル（macro cell）と異なるセル識別子（ＩＤ）を有するマクロセルサービスエリア内の低い電力ＲＲＨを有する異種ネットワーク、及び４）ＲＲＨにより生成された送受信ポイントがマクロセルと同一のセルＩＤを有するマクロセルサービスエリア内の低い電力ＲＲＨを有する異種ネットワーク。標準化のためのフォーカスとして識別されたＣｏＭＰ通信方式は、ジョイント送信（ＪＴ）、動的ポイントブランキングを含む動的ポイント選択（dynamic point selection：ＤＰＳ）、及び動的ポイントブランキングを含む協調スケジューリング／ビームフォーミングである。ＣｏＭＰ使用シナリオの他の説明は、３ＧＰＰ  ＴＳ ３６．８１９に含まれており、これは、参照により本明細書で明確に組み込まれる。
したがって、ＣｏＭＰでの改善した構成及びこのようなＣｏＭＰ構成の表示及び識別を行うための方法及び装置が必要とされる。
【先行技術文献】
【特許文献】
【０００３】
【特許文献１】特表２０１５−５１１４６０号
【非特許文献】
【０００４】
【非特許文献１】ETRI，PDSCH RE mapping and quasi-collocation signaling for CoMP，R1-124333，２０１２年  ９月２９日
【非特許文献２】Samsung，RRC Parameters for Downlink CoMP，R1-124669，２０１２年１０月１２日
【非特許文献３】Huawei, HiSilicon, Ericsson, ST-Ericsson，Way forward on remaining issues of DCI format 1A in TM10，  3GPP TSG-RAN WG1#70b R1-124641，２０１２年１０月１２日
【非特許文献４】ZTE，Downlink control signaling for CoMP，R1-124626，２０１２年１０月１２日
【非特許文献５】LG Electronics，Signaling for quasi co-location assumptions and PDSCH rate matching[online]，3GPP TSG-RAN WG1#70b    R1-124316，インターネット＜URL:http://www.3gpp.org/ftp/tsg_ran/WG1_RL1/TSGR1_70b/Docs/R1-124316.zip＞，２０１２年１０月１２日
【非特許文献６】Gerard Fernando, et al.，Technologies under Consideration(TuC)for MMT，ISO/IEC JTC1/SC29/WG11 N12335，２０１１年１２月
【非特許文献７】T.Paila et al.，FLUTE - File Delivery over Unidirectional Transport，Network Working Group, RFC-3926，２００４年１０月，p.1,3-25,32，ＵＲＬ，https://tools.ietf.org/pdf/rfc3926.pdf
【発明の概要】
【発明が解決しようとする課題】
【０００５】
本発明は、上述した課題もしくは不都合な点を解決し、少なくとも以下に示す優位性を提供する。すなわち、本発明の目的は、無線通信のためにレートマッチング及び干渉測定リソースを構成する方法及び装置を提供することにある。
【課題を解決するための手段】
【０００６】
上記のような目的を達成するために、例示的な一実施形態において、ゼロ出力（zero power：ＺＰ）チャネル状態情報（channel state information：ＣＳＩ）参照信号（reference signal：ＲＳ）（ＺＰ−ＣＳＩ−ＲＳ）構成を識別する方法が提供される。この方法は、１つ以上の制御メッセージの受信に応じてダウンリンク制御情報（downlink control information：ＤＣＩ）フォーマット及びＺＰ−ＣＳＩ−ＲＳ構成を識別するステップを含み、ここで、第１のＺＰ−ＣＳＩ−ＲＳ構成又は複数の構成のセットは、ＤＣＩフォーマット１Ａのために使用されるように構成され、第２のＺＰ−ＣＳＩ−ＲＳ構成又は複数の構成のセットは、ＤＣＩフォーマット２Ｄ又は２Ｃのために使用されるように構成される。また、この方法は、識別されたＺＰ−ＣＳＩ−ＲＳ構成に基づいてＰＤＳＣＨレートマッチングを識別するステップを含む。
【０００７】
他の実施形態において、ＺＰ−ＣＳＩ−ＲＳ構成を表示する方法が提供される。この方法は、ＤＣＩフォーマットの表示を含む動的シグナリング制御メッセージを送信するステップを含む。また、この方法は、ＺＰ−ＣＳＩ−ＲＳ構成又は複数の構成の表示を含む上位レイヤーシグナリング制御メッセージを送信するステップを含む。第１のＺＰ−ＣＳＩ−ＲＳ構成又は複数の構成のセットは、ＤＣＩフォーマット１Ａのために使用されるように構成され、第２のＺＰ−ＣＳＩ−ＲＳ構成又は複数の構成のセットは、ＤＣＩフォーマット２Ｄ又は２Ｃのために使用されるように構成される。
【０００８】
また他の実施形態において、ＺＰ−ＣＳＩ−ＲＳ構成を識別できる装置が提供される。この装置は、１つ以上の制御メッセージを受信するように構成される受信器及び制御器を含む。制御器は、ＤＣＩフォーマット及びＺＰ−ＣＳＩ−ＲＳ構成を識別するように構成され、ここで、第１のＺＰ−ＣＳＩ−ＲＳ構成又は複数の構成のセットがＤＣＩフォーマット１Ａのために使用されるように構成され、第２のＺＰ−ＣＳＩ−ＲＳ構成又は複数の構成のセットがＤＣＩフォーマット２Ｄ又は２Ｃのために使用されるように構成される。また、制御器は、識別されたＺＰ−ＣＳＩ−ＲＳ構成に基づいてＰＤＳＣＨレートマッチングを識別するように構成される。
【０００９】
もう１つの実施形態において、ＺＰ−ＣＳＩ−ＲＳ構成を識別できる装置が提供される。この装置は、送信器及び制御器を含む。送信器は、ＤＣＩフォーマットの表示を含む制御メッセージを送信し、ＺＰ−ＣＳＩ−ＲＳ構成又は複数の構成の表示を含む上位レイヤーシグナリング制御メッセージを送信するように構成される。第１のＺＰ−ＣＳＩ−ＲＳ構成又は複数の構成のセットは、ＤＣＩフォーマット１Ａのために使用されるように構成され、第２のＺＰ−ＣＳＩ−ＲＳ構成又は複数の構成のセットは、ＤＣＩフォーマット２Ｄのために使用されるように構成される。
【００１０】
本発明を詳細に説明するのに先立って、本明細書の全般にわたって使用される特定の単語及び語句の定義を開示することが望ましい。“含む”及び “備える”という語句だけではなく、その派生語は、限定ではなく、包含を意味する。“又は”という用語は、“及び／又は”の意味を包含する。“関連した”及び“それと関連した”という語句だけではなく、その派生語句は、“含む”、“含まれる”、“相互に連結する”、“包含する”、“包含される”、“連結する”、“結合する”、“疎通する”、“協力する”、“相互配置する”、“並置する”、“近接する”、“接する”、“有する”、及び“特性を有する”などを意味することができる。制御器は、少なくとも１つの動作を制御する装置、システム又はその部分を意味するもので、ハードウェア、ファームウェア、ソフトウェア、又は、それらのうちの２つ以上の組合せで実現することができる。特定の制御器に関連する機能は、集中しているか、あるいは近距離、または遠距離に分散されることもあることに留意すべきである。特定の単語及び語句に関するこのような定義は、本明細書の全般にわたって規定されるもので、当業者には、大部分の場合ではなくても、多くの場合において、このような定義がそのように定義された単語及び語句の先行使用にはもちろん、将来の使用にも適用されるものであることが自明である。
【００１１】
本発明とそれによって存在するより完全な理解と、それに従う多くの利点のより完全な理解は容易に明らかになり、添付された図面との結合を考慮すれば、後述する詳細な説明を参照してよりよく理解できる。図面中、同一の参照符号は、同一であるか又は類似した構成要素を示す。
【図面の簡単な説明】
【００１２】
【図１】本発明の例示的な実施形態によるメッセージを送信する例示的な無線システムを示す図である。
【図２】本発明の例示的な実施形態による直交周波数分割多重接続送信経路のハイレベルダイアグラムを示す図である。
【図３】本発明の例示的な実施形態による直交周波数分割多重接続受信経路のハイレベルダイアグラムを示す図である。
【図４】本発明の様々な実施形態を実現するために使用される無線通信システムにおける送信器及び受信器の構成を示すブロック図である。
【図５】本発明の様々な実施形態が具現されることができるＣｏＭＰ通信システムの構成を示すブロック図である。
【図６】本発明の様々な実施形態による例示的なＺＰ−ＣＳＩ−ＲＳ構成を示す図である。
【図７】本発明の様々な実施形態によるＺＰ−ＣＳＩ−ＲＳ構成を満足させるＩＭＲ構成の例を示す図である。
【図８】本発明の様々な実施形態によるＺＰ−ＣＳＩ−ＲＳ構成を満足させるＩＭＲ構成の例を示す図である。
【図９】本発明の様々な実施形態によるＺＰ−ＣＳＩ−ＲＳ構成を満足させるＩＭＲ構成の例を示す図である。
【図１０】本発明の様々な実施形態による無線ネットワークにおけるＺＰ−ＣＳＩ−ＲＳ構成の表示及び識別を行うためのプロセスのフローチャートである。
【発明を実施するための形態】
【００１３】
下記で論議される図１乃至図１０及び本明細書で本発明の原理を記述するのに使用される様々な実施形態は、ただ例示的なものであって、本発明の範囲を限定するものと解釈すべきではない。当業者であれば、本発明の原理が適切に配置されたシステム又は装置で具現されることは自明である。
【００１４】
次の標準文献は、参照により本明細書に含まれる：１）3GPP TS 36.211 v10.1.0，“E-UTRA, Physical channels and modulation；”  ２）3GPP TS 36.212 v10.1.0, “E-UTRA, Multiplexing and Channel coding；”  ３）3GPP TS 36.213 v10.1.0, “E-UTRA, Physical Layer Procedures；”  ４）RP-111365 Coordinated Multi-Point Operation for LTE  WID；及び５）3GPP TR 36.819 V11.0.0 （2011-09）。
【００１５】
以下に述べられる図１乃至図３は、無線通信システムにおけるＯＦＤＭ又はＯＦＤＭＡ通信技術を用いて実現される様々な実施形態について説明する。図１乃至図３の説明は、異なる実施形態が具現されることができる方式に対する物理的又は構造的な制限を示すことを意味しない。本発明の異なる実施形態は、任意の適切に配置された通信システムで具現されることができる。
【００１６】
図１は、本発明の原理によるメッセージを送信する例示的な無線システム１００を示す図である。図示する実施形態において、無線システム１００は、送信ポイント（例えば、進化したＮｏｄｅ−Ｂ（Evolved Node B：ｅＮＢ）、ノードＢ）、例えば、基地局（ＢＳ）１０１、基地局（ＢＳ）１０２、基地局（ＢＳ）１０３、及び他の類似の基地局又は中継局（図示せず）を含む。基地局１０１は、基地局１０２及び基地局１０３と通信する。また、基地局１０１は、ネットワーク１３０又は類似のＩＰ基盤システム（図示せず）と通信する。
【００１７】
基地局１０２は、基地局１０２のサービスエリア１２０内の第１の複数のユーザ端末（例えば、移動電話、移動局、加入者局）に（基地局１０１を介して）ネットワーク１３０に対する無線広帯域接続を提供する。第１の複数のユーザ端末は、小規模ビジネス（small business：ＳＢ）に位置するユーザ端末１１１と、企業（Ｅ）に位置するユーザ端末１１２と、ＷｉＦｉホットスポット（ＨＳ）に位置するユーザ端末１１３と、第１のレジデンス（Ｒ）に位置できるユーザ端末１１４と、第２のレジデンス（Ｒ）に位置するユーザ端末１１５と、例えば、携帯電話、無線ラップトップ、無線ＰＤＡなどのような移動デバイス（Ｍ）であるユーザ端末１１６とを含む。
【００１８】
基地局１０３は、基地局１０３のサービスエリア１２５内の第２の複数のユーザ端末に（基地局１０１を介して）ネットワーク１３０に対する無線広帯域接続を提供する。第２の複数のユーザ端末は、ユーザ端末１１５及びユーザ端末１１６を含む。例示的な一実施形態において、基地局１０１−１０３は、ＯＦＤＭ又はＯＦＤＭＡ技術を用いて相互に通信し、ユーザ端末１１１−１１６と通信する。
【００１９】
図１には、６個のユーザ端末だけが図示されているが、無線システム１００は、無線広帯域接続を追加のユーザ端末に提供することがわかる。ユーザ端末１１５及びユーザ端末１１６は、サービスエリア１２０及びサービスエリア１２５のすべてのエッジに位置していることに留意する。ユーザ端末１１５及びユーザ端末１１６の各々は、当業者に知られている通り、基地局１０２及び基地局１０３のすべてと通信し、ハンドオフモードで動作するものと理解される。
【００２０】
ユーザ端末１１１−１１６は、ネットワーク１３０を通して音声、データ、ビデオ、ビデオ会議、及び／又は他の広帯域サービスにアクセスする。例示的な一実施形態において、１つ以上のユーザ端末１１１−１１６は、ＷｉＦｉ  ＷＬＡＮのアクセスポイント（ＡＰ）と関連する。ユーザ端末１１６は、無線可能ラップトップコンピュータ、パーソナルデータアシスタント（personal data assistant：ＰＤＡ）、ノートブック、ハンドヘルドデバイス、又は他の無線可能デバイスを含む複数のモバイルデバイスのうちの任意のものであり得る。ユーザ端末１１４及び１１５は、例えば、無線可能パーソナルコンピュータ（ＰＣ）、ラップトップコンピュータ、ゲートウェイ、又は他のデバイスであり得る。
【００２１】
図２は、送信経路回路２００のハイレベルダイアグラムである。例えば、送信経路回路２００は、直交周波数分割多重接続（orthogonal frequency division multiple access：ＯＦＤＭＡ）通信のために使用される。図３は、受信経路回路３００のハイレベルダイアグラムである。例えば、受信経路回路３００は、直交周波数分割多重接続（ＯＦＤＭＡ）通信のために使用される。図２及び図３において、ダウンリンク通信のために、送信経路回路２００は、基地局（ＢＳ）１０２又は中継局で具現され、受信経路回路３００は、ユーザ端末（例えば、図１のユーザ端末１１６）で具現される。他の例において、アップリンク通信のために、受信経路回路３００は、基地局（例えば、図１の基地局１０２）又は中継局で具現され、送信経路回路２００は、ユーザ端末（例えば、図１のユーザ端末１１６）で具現される。
【００２２】
送信経路回路２００は、チャネル符号化及び変調ブロック２０５、直列−並列（serial-to-parallel：Ｓ−ｔｏ−Ｐ）ブロック２１０、サイズＮ逆高速フーリエ変換（Inverse Fast Fourier Transform：Ｎ  ＩＦＦＴ）ブロック２１５、並列−直列（parallel-to-serial：Ｐ−ｔｏ−Ｓ）ブロック２２０、サイクリックプレフィックス（cyclic prefix）付加ブロック２２５、及びアップコンバータ（up-converter：ＵＣ）２３０を含む。受信経路回路３００は、ダウンコンバータ（down-converter：ＤＣ）２５５、サイクリックプレフィックス除去ブロック２６０、直列−並列（serial-to-parallel：Ｓ−ｔｏ−Ｐ）ブロック２６５、サイズＮ高速フーリエ変換（Fast Fourier Transform）ブロック２７０、並列―直列（Ｐ−ｔｏ−Ｓ）ブロック２７５、及びチャネル符号化及び復調ブロック２８０を含む。
【００２３】
図２及び図３のコンポーネントのうちの少なくとも一部は、ソフトウェアで具現されるが、他のコンポーネントは、構成可能なハードウェア又はソフトウェアと構成可能なハードウェアとの混合により具現される。特に、本明細書で説明されるＦＦＴブロック及びＩＦＦＴブロックは、構成可能なソフトウェアアルゴリズムで具現され、ここで、サイズＮの値は、実現に従って変更されることに留意する。
【００２４】
また、本発明は、高速フーリエ変換（Fast Fourier Transform）及び逆高速フーリエ変換（Inverse Fast Fourier Transform）を実現する実施形態に関するものであるが、これは、ただの例示であり、本発明の範囲を限定するものと解釈されてはならない。本発明の他の実施形態において、高速フーリエ変換関数及び逆高速フーリエ変換関数は、離散フーリエ変換（Discrete Fourier Transform：ＤＦＴ）関数及び逆離散フーリエ変換（Inverse Discrete Fourier Transform：ＩＤＦＴ）関数にそれぞれ容易に置き換えられると認識される。ＤＦＴ及びＩＤＦＴ関数に対して、Ｎ変数の値は、任意の整数（すなわち、１，２，３，４など）であり得、ＦＦＴ及びＩＦＦＴ関数に対して、Ｎ変数の値は、２の冪（すなわち、１，２，４，８，１６など）である任意の整数であり得ることが認識されるであろう。
【００２５】
送信経路回路２００において、チャネル符号化及び変調ブロック２０５は、情報ビットのセットを受信し、符号化（例えば、ＬＤＰＣ符号化）を適用し、入力ビットの変調（例えば、直交位相シフトキーイング（Quadrature Phase Shift Keying：ＱＰＳＫ）又は直交振幅変調（Quadrature Amplitude Modulation：ＱＡＭ））を行うことにより周波数ドメイン変調シンボルのシーケンスを生成する。直列−並列ブロック２１０は、直列変調されたシンボルを並列データに変換（すなわち、デマルチプレックス ）することによりＮ並列シンボルストリームを生成し、ここで、Ｎは、ＢＳ１０２及びＵＥ１１６で使用されるＩＦＦＴ／ＦＦＴサイズである。その後に、サイズＮ  ＩＦＦＴブロック２１５は、Ｎ並列シンボルストリームに対するＩＦＦＴ動作を実行することにより時間ドメイン出力信号を生成する。並列−直列ブロック２２０は、サイズＮ  ＩＦＦＴブロック２１５からの並列時間ドメイン出力シンボルを変換（すなわち、マルチプルレックス）することにより直列時間ドメイン信号を生成する。その後に、サイクリックプレフィックス付加ブロック２２５は、サイクリックプレフィックスを時間ドメイン信号に挿入する。最後に、アップコンバータ２３０は、無線チャネルを通した送信のためにサイクリックプレフィックス付加ブロック２２５の出力をＲＦ周波数に変調（すなわち、アップコンバート）する。また、この信号は、ＲＦ周波数への変換の前に基底帯域（baseband）でフィルタリングされる。
【００２６】
送信されたＲＦ信号は、無線チャネルを通過した後にＵＥ１１６に到達し、ＢＳ１０２とは反対の動作が実行される。ダウンコンバータ２５５は、受信された信号を基底帯域周波数にダウンコンバートし、サイクリックプレフィックス除去ブロック２６０は、サイクリックプレフィックスを除去することにより直列時間ドメイン基底帯域信号を生成する。直列−並列ブロック２６５は、時間-ドメイン基底帯域信号を並列時間ドメイン信号に変換する。その後に、サイズＮ  ＦＦＴブロック２７０は、ＦＦＴアルゴリズムを実行することによりＮ並列周波数ドメイン信号を生成する。並列−直列ブロック２７５は、並列周波数ドメイン信号を変調されたデータシンボルのシーケンスに変換する。チャネルデコー
ディング及び復調ブロック２８０は、変調されたシンボルを復調した後にデコーディングすることにより元来の入力データストリームを復旧する。
【００２７】
基地局１０１−１０３の各々は、ユーザ端末１１１−１１６にダウンリンクでの送信と類似した送信経路を実現し、ユーザ端末１１１−１１６からのアップリンクでの受信と類似した受信経路を実現する。同様に、ユーザ端末１１１−１１６の各々は、基地局１０１−１０３に対するアップリンクでの送信のためのアーキテクチャに対応する送信経路を実現し、基地局１０１−１０３からのダウンリンクでの受信のためのアーキテクチャに対応する受信経路を実現する。
【００２８】
図４は、本発明の様々な実施形態を実現するために使用される無線通信システムにおける送信器４０５及び受信器４１０の構成を示すブロック図である。この例示的な例において、送信器４０５及び受信器４１０は、例えば、図１の無線システム１００のような無線通信システムでの通信ポイントにあるデバイスである。いくつかの実施形態において、送信器４０５又は受信器４１０は、ネットワークエンティティ、例えば、基地局（例えば、ｅＮＢ（evolved node B））、遠隔無線ヘッド、中継局、アンダーレイ基地局）、ゲートウェイ（ＧＷ）、又は基地局制御器（ＢＳＣ）であり得る。他の実施形態において、送信器４０５又は受信器４１０は、ＵＥ（例えば、移動局、加入者局など）であり得る。一例において、送信器４０５又は受信器４１０は、図１での一実施形態であるＵＥ１１６の一例である。他の例において、送信器４０５又は受信器４１０は、図１での一実施形態である基地局１０２の一例である。
【００２９】
送信器４０５は、アンテナ（複数のアンテナ）４１５、複数の位相シフタ４２０、Ｔｘ処理回路４２５、及び制御器４３０を含む。送信器４０５は、アウトゴーイング基底帯域データからアナログ又はディジタル信号を受信する。送信器４０５は、アウトゴーイング基底帯域データのエンコーディング、マルチプレキシング、及び／又はディジタイジングを行うことにより、送信器４０５を通して伝達及び／又は送信される処理されたＲＦ信号を生成する。例えば、Ｔｘ処理回路４２５は、図２での送信処理回路２００と類似した送信経路を実現する。また、送信器４０５は、アンテナ（複数のアンテナ）４１５での異なるアンテナへのレイヤマッピング（layer mapping）を通して空間マルチプレキシングを実行することにより複数の異なるビームで信号を送信する。制御器４３０は、送信器４０５の全動作を制御する。このような１つの動作において、制御器４３０は、よく知られている原理に従って送信器４０５による信号の送信を制御する。
【００３０】
受信器４１０は、基地局、中継局、遠隔無線ヘッド、ＵＥなどのような１つ以上の送信ポイントにより送信される着信ＲＦ信号又は複数の信号をアンテナ（複数のアンテナ）４３５から受信する。受信器４１０は、受信された信号（複数の信号）を処理することによって送信ポイント（複数のポイント）により送信された情報を識別するＲｘ処理回路４４５を含む。例えば、Ｒｘ処理回路４４５は、受信信号（複数の受信信号）のチャネル推定、復調、ストリーム分離、フィルタリング、デコーディングを行い、及び／又はディジタイジングを行うことにより、中間周波数（ＩＦ）又は基底帯域信号を生成するために着信ＲＦ信号（複数の信号）をダウンコンバートする。例えば、Ｒｘ処理回路４４５は、図３での受信処理回路３００と類似した受信経路を実現する。制御器４５０は、受信器４１０の全動作を制御する。このような１つの動作において、制御器４５０は、よく知られている原理に従って受信器４１０による信号の受信を制御する。
【００３１】
様々な実施形態において、送信器４０５は、ＴＰ内に位置し、受信器は、ＣｏＭＰ通信システムにおけるＵＥ内に位置する。例えば、ＣｏＭＰ通信では、複数のＴＰがＵＥに送信する送信器４０５と類似した送信器を含む。複数のＴＰは、基地局（例えば、ｅＮＢ、マクロ基地局など）、ＲＲＨ、及び／又はアンダーレイ基地局（例えば、マイクロ基地局、中継局など）の任意の組合せであり得る。
【００３２】
図４に示す送信器４０５及び受信器４１０の例示は、本発明の実施形態が具現される一実施形態を説明するためのものである。本発明の範囲から逸脱することなしに、送信器４０５及び受信器４１０の他の実施形態が使用される。例えば、送信器４０５は、受信器４１０のような受信器も含む通信ノード（例えば、ＢＳ、ＵＥ、ＲＳ、及びＲＲＨ）に位置する。同様に、受信器４１０は、送信器４０５のような送信器も含む通信ノード（例えば、ＢＳ、ＵＥ、ＲＳ、及びＲＲＨ）に位置する。このような通信ノードでのＴｘ及びＲｘアンテナアレイのアンテナは、１つ以上のアンテナスイッチングメカニズムを通して送受信用に使用されるものと同一のアンテナアレイをオーバーラップするか又はそれであり得る。
【００３３】
図５は、本発明の様々な実施形態によるＣｏＭＰ通信システム５００の構成を示すブロック図である。このような例示的な例において、ＣｏＭＰ通信システム５００は、ＵＥ５０５及び２個のＴＰ５１０及び５１５を含む。例えば、ＵＥ５０５は、図４に示すように、受信器及び送信器を含む。また、ＴＰ５１０及び５１５は、図４に示すように、受信器及び送信器を含む。ＴＰ５１０及び５１５は、基地局（例えば、ｅＮＢ、マクロ基地局など）、ＲＲＨ、及び／又はアンダーレイ基地局（例えば、マイクロ基地局、中継局など）の任意の組合せであり得る。追加で、他のＴＰ及びＵＥは、ＣｏＭＰ通信システム５００に存在する。例えば、２個以上のＴＰは、同一のＵＥ５０５と通信する。
【００３４】
ＴＰ５１０及び５１５は、ネットワーク５２０に接続される。例えば、ＴＰ５１０及び５１５は、有線及び／又は光ファイバネットワークにより接続される。ネットワーク５２０は、ＴＰ５１０と５１５との間の接続を提供することによりＴＰ５１０及び５１５とＵＥ５０５との間の無線通信のためのデータ及び制御情報を提供する。ネットワーク５２０は、ＣｏＭＰ通信システム５００での無線通信のためのスケジューリングを実行する。例えば、ネットワーク５２０は、１つ以上のゲートウェイ又は基地局制御器を含む。一例において、ネットワーク５２０は、図１でのネットワーク１３０の一実施形態であり得る。
【００３５】
上述した背景技術で説明したものと異なるＣｏＭＰ送信方式で、ネットワーク５２０は、スケジューリングを最適化するためにＵＥによりサポートされるチャネル品質指示子（channel quality indicator：ＣＱＩ）、プリコーディングマトリックス指示子（precoding matrix indicator：ＰＭＩ）、及びランク指示子（rank indicator：ＲＩ）を認識する必要がある。また、個別のＣｏＭＰ方式の実行は、他のパラメータ、例えば、ＣｏＭＰ方式で使用される複数のＴＰ；１つ以上の送信中である複数のＴＰの各々に適用されるプリコーディング；空いているか又は送信中でない複数のＴＰ；及び個別ＣＱＩの測定のために構成される干渉測定リソースにより特徴づけられる。
【００３６】
チャネル状態情報（channel state information：ＣＳＩ）参照信号（reference signal：ＲＳ）は、ＵＥによるチャネル測定を可能にする。リリース−１０  ＬＴＥにおいて、ＵＥ特定ＣＳＩ−ＲＳ構成は、１）ノンゼロ出力（non-zero power：ＮＺＰ）ＣＳＩ−ＲＳリソース、２）１つ以上のゼロ出力ＣＳＩ−ＲＳリソースを含む。通常、ノンゼロ出力ＣＳＩ−ＲＳリソースは、サービングセルの複数のアンテナエレメント／複数のポートに対応する。また、ミューティングされた（muted）ＣＳＩ−ＲＳとも通称されるゼロ出力（zero-power：ＺＰ）ＣＳＩ−ＲＳが使用されることにより、他のセルのＣＳＩ−ＲＳリソースを保護し、ＵＥは、これらのリソースに合せてレートマッチング（デコーディング／復調のためのスキップ）するものと予想される。ＣＳＩ−ＲＳの追加の構成詳細は、３ＧＰＰ  ＴＳ  ３６．２１１、特に、セクション６．１０．５及び７．２．５に明示されている。
【００３７】
ＣｏＭＰ送信をサポートするために、ネットワークは、複数の送信ポイント又はセルに対応するフィードバックを必要とする。結果的に、ネットワークは、通常、それぞれがＴＰ又はＣＳＩプロセスに対応する、複数のＣＳＩ−ＲＳリソースを設定できる。ＣＳＩ−ＲＳリソース構成の他の詳細及び各ＣＳＩ−ＲＳリソースに対する構成可能なパラメータは、複数のノンゼロ出力ＣＳＩ−ＲＳリソースの構成がスクランブリング初期化ｃｉｎｉｔ＝２１０・（７・（ｎｓ＋１）＋ｌ＋１）・（２・Ｘ＋１）＋２・Ｘ＋ＮＣＰを誘導するために少なくともAntennaPortsCount、ResourceConfig、SubframeConfig、Ｐｃ、及びParameter Xを含む。Ｘは、０乃至５０３の範囲にあり、仮想セルＩＤとして解釈されることができる。リリース１０において、Ｘは、サービングセルのＰＣＩである。これらのパラメータは、ＣＳＩ−ＲＳリソースごとに構成される。いくつかのパラメータは、１つのＣＳＩ−ＲＳリソースで複数のＴＰに対応する集合的ＣＳＩフィードバックによりコヒーレント結合送信（coherent joint transmission）をサポートする決定を考慮してＣＳＩ−ＲＳポートごとに構成される。複数のＣＳＩ−ＲＳリソースは、個別ＴＰのチャネルを捕捉し、干渉測定は、ＣｏＭＰ方式に依存する。リリース８−１０において、通常、単一の干渉測定リソースが使用され、これは、セル特定参照信号（cell-specific reference signal：ＣＲＳ）自体である。ＣＲＳに対する干渉測定は、セルの外部にあるすべての干渉を捕捉する。
【００３８】
ＣｏＭＰにおいて、１つ以上の干渉測定リソースは、仮想ＣｏＭＰ方式のための干渉を捕捉するように定義されることができる。少なくとも１つの干渉測定リソース（ＩＭＲ）（ＣＳＩ−干渉測定（ＩＭ）リソース又はＣＳ−ＩＭリソースとも称される）は、リリース−１１  ＵＥのために構成されることができる。最大１つだけ又は複数のＩＭＲは、リリース−１１  ＵＥのために構成される。各ＩＭＲは、ＲＥだけで構成され、これは、リリース  １０  ＣＳＩ−ＲＳリソースとして構成されることができる。
【００３９】
ＩＭＲ構成において、各ＩＭＲは、リリース−１０  ｓｕｂｆｒａｍｅＣｏｎｆｉｇ及びリリース−１０  ｒｅｓｏｕｒｃｅＣｏｎｆｉｇで独立して構成され、ここで、ｒｅｓｏｕｒｃｅＣｏｎｆｉｇは、４つのＲＥのためのものである。１つのＵＥのために構成されたすべてのＩＭＲは、単一のＲ１０  ＺＰ  ＣＳＩ−ＲＳリソース構成として構成されることができるＲＥだけをともに使用する。
【００４０】
ＣＳＩ構成において、リリース−１１  ＵＥは、ＣＣごとに１つ以上のノンＰＭＩ基盤ＣＱＩを報告するように構成されることができる。各ノンＰＭＩ基盤ＣＱＩは、ＣｏＭＰ  ＣＳＩと同一の構成に従い、すなわち、ノンＰＭＩ基盤ＣＱＩは、チャネル部分（ＣｏＭＰ測定セット内の１つのＮＺＰ  ＣＳＩ−ＲＳリソース）及び干渉部分（リリース−１０  ＺＰ  ＣＳＩ−ＲＳとして構成されたＲＥのサブセットを占める１つのＩＭＲ）の関連（association）により構成される。
【００４１】
ＣｏＭＰのサポートにおいて、本発明の様々な実施形態に従って本明細書に記述されたもののように新たなＣＳＩ−ＲＳ構成が定義されシグナリングされる。リリース−１０において、及び、より具体的に、３ＧＰＰ  ＴＳ３６．３３１において、ＣＳＩ−ＲＳ構成は、次のようにシグナリングされ、ここでは、ノンゼロ出力ＣＳＩ−ＲＳ及びそれのパラメータが表示され、ノンゼロ出力ＣＳＩ−ＲＳ及びそれのパラメータが表示され、複数のゼロ出力ＣＳＩ−ＲＳ構成がビットマップを使用して表示される。ＣｏＭＰのためにサポートされる１つ以上の干渉測定リソースにより、ＣＳＩ測定は、ＣＳＩ−ＲＳリソース及びＩＭＲ又はＣＳＩ−ＩＭリソースの両方ともに基づく。結果的に、本発明の実施形態は、フィードバックのためのＣＳＩ構成を定義する。一例において、ＵＥが複数のＩＭＲリソースで構成される場合に、各ＣＳＩプロセスは、関連した（ＣＳＩ−ＲＳリソース、ＩＭＲリソース）対で定義される。
【００４２】
送信ポイントのセットにわたったＣｏＭＰで、ＩＭＲ構成は、送信ポイントの一部からの干渉を反映した特定の干渉仮説に対応し、他の送信ポイントは、ミューティングされる（非送信）。各ＴＰは、ネットワークのＵＥに対応する他のＩＭＲ  ＲＥのセットでミューティングする義務を有する。ＰＤＳＣＨデータの送信において、動的ポイント選択（dynamic point selection）が使用される場合、ＵＥは、異なる時間に異なるＴＰからの送信を受信する。これは、送信のために選択されたＴＰ又は複数のＴＰにより異なるＰＤＳＣＨレートマッチングパターンを意味する。結果的に、ＰＤＳＣＨミューティングパターンは、ダウンリンクグラントのために使用されるダウンリンク制御フォーマットを使用して動的にシグナリングされる。ＩＭＲ  ＲＥがゼロ出力ＣＳＩ−ＲＳ（ＺＰ−ＣＳＩ−ＲＳ）構成として表現されることができるために、本発明の実施形態は、上位レイヤーシグナリングによる２個以上のＺＰ−ＣＳＩ−ＲＳ構成を構成し、これらの間で動的に選択する。リリース−１１で定義された新たな送信モード（送信モード１０）において、修正されたＤＣＩフォーマット２Ｄ／２Ｃは、このような目的で提供される。本発明の実施形態は、ＰＤＳＣＨがＤＣＩフォーマット１Ａで送信される場合にレートマッチング動作の構成及び表示を処理し提供する。
【００４３】
本発明の実施形態は、ミューティング及びＺＰ−ＣＳＩ−ＲＳ構成を提供する。新たな参照シンボルが新たなＬＴＥ仕様で定義される場合に、レガシーＵＥがゼロ出力ＣＳＩ−ＲＳに対応するＲＥに合せてレートマッチングしなければならないことを知らないために、これは、レガシーＵＥに対するバックワード互換性（backward compatibility）問題を発生させる。このような目的で、ＺＰ−ＣＳＩ−ＲＳがリリース−１０で定義されることによりフォワード互換性（forward compatibility）を保証する。言い換えれば、ゼロ出力ＣＳＩ−ＲＳとして構成されることができる将来のリリースで定義された参照シンボルは、レガシーＵＥに対するバックワード互換性を提供する。本発明の実施形態は、新たなＬＴＥ仕様でＩＭＲリソースを定義する方式に対する幾つかの実施形態を提供することにより、それらがこのような方式で動作するようにする。上述したように、１つ以上のＩＭＲリソースがユーザのために構成されることができる。
【００４４】
上位レベルで、本発明の実施形態は、バックワード互換性を提供するための次の規則を提供する。規則１（バックワード互換性用）：“１つのＵＥのために構成されたすべてのＩＭＲは、単一のＲ１０  ＺＰ  ＣＳＩ−ＲＳリソース構成として構成されることができるＲＥだけをともに使用する。”また、これらが規則１に従う限り、少なくとも次のパラメータについて、個別ＩＭＲを異なるように構成できることが好ましい。表１は、ＩＭＲ構成パラメータを示す。
【００４５】
【表１】
2019180085.tif 000003
【００４６】
ＺＰ−ＣＳＩ−ＲＳ構成は、１６ビットビットマップである。上位レイヤーにより構成された１６ビットビットマップＺＰ−ＣＳＩ−ＲＳの１つに設定された各ビットにおいて、ＵＥは、３ＧＰＰ  ＴＳ３６．２１１  ｖ１１．０．０の表６．１０．５．２−１及び６．１０．５．２−２内の４個のＣＳＩ参照信号列に対応するリソースエレメントに対してゼロ送信出力を仮定し、これは、ＵＥが上位レイヤーにより構成されたノンゼロ送信出力ＣＳＩ−ＲＳを仮定するものと重複するリソースエレメントを除外し、それぞれの一般及び拡張サイクリックプレフィックスのためのものであり、参照により本明細書に明確に組み込まれる。最上位ビットは、最も低いＣＳＩ参照信号構成インデックスに対応し、ビットマップ内の後続ビットは、昇順のインデックスを有する構成に対応する。結果的に、単一のＺＰ−ＣＳＩ−ＲＳビットマップは、ゼロ出力で送信され、それらがＩＣＳＩ−ＲＳの同一の値を有しなければならない制限を有する複数の（例えば、４Ｔｘ）ＣＳＩ−ＲＳ構成に対応する。ＩＣＳＩ−ＲＳは、以下でより詳細に論議されるように、サブフレーム周期及びサブフレームオフセットにマッピングするインデックスである。ＣＳＩ参照信号を含むサブフレームは、
【００４７】
【数１】
2019180085.tif 000004
【００４８】
を満足する。
【００４９】
図６は、本発明の様々な実施形態による例示的なＺＰ−ＣＳＩ−ＲＳ構成を示す図である。この例示的な例では、表現の便宜のために、全サブフレームが図示されておらず、垂直グリッドの異なる陰影及び位置を使用してサブフレームの１６個の可能なＣＳＩ−ＲＳ参照信号のそれぞれのものを示す。この例では、２個のＣＳＩ−ＲＳ構成が使用される。周期が５であり、オフセットがゼロであるために（ｎは、サブフレームインデキシングである）、ＩＣＳＩ−ＲＳは、０である。
【００５０】
図７乃至図９は、本発明の様々な実施形態によるＺＰ−ＣＳＩ−ＲＳ構成を満足させる例示的なＩＭＲ構成を示す図である。図７は、互換可能なＩＭＲ構成の一例を示し、ここで、第１のＩＭＲ周期（Ｎｐ１）は、５であり、第１のＩＭＲオフセット（Ｎｏｆｆ１）は、０であり、第２のＩＭＲ周期（Ｎｐ２）は、５であり、第２のＩＭＲオフセット（Ｎｏｆｆ２）は、０である。図８は、互換可能なＩＭＲ構成の他の例を示し、ここで、Ｎｐ１は、１０であり、Ｎｏｆｆ１は、０であり、Ｎｐ２は、１０であり、Ｎｏｆｆ２は、５である。図９は、互換可能なＩＭＲ構成の第３の例を示し、ここで、 Ｎｐ１は、５であり、Ｎｏｆｆ１は、０であり、Ｎｐ２は、１０であり、Ｎｏｆｆ２は、５であり、Ｎｐ３は、１０であり、Ｎｏｆｆ３は、０である。図６乃至図９に示すように、それぞれのＩＭＲは、ゼロ出力を有するＣＳＩ−ＲＳ構成のうちの１つで構成され；それぞれのＩＭＲ周期“Ｎｐ＿ｉｍｒ”は、ゼロ出力ＣＳＩ−ＲＳ構成“Ｎｐ＿ｚｐ”の複数の周期であり（例えば、［Ｎｐ＿ｚｐ，８０ｍｓ］範囲の値を含む）；それぞれのＩＭＲオフセット“Ｎｏｆｆ＿ｉｍｒ”は、Ｎｏｆｆ＿ｚｐ＋ｉ．Ｎｐ＿ｚｐの値を有することができ、ここで、ｉ＝０，．．．，（Ｎｐ＿ｉｍｒ／Ｎｐ＿ｚｐ）−１、及び“Ｎｏｆｆ＿ｚｐ”は、ＺＰ−ＣＳＩ−ＲＳリソースに対するサブフレームオフセットである。
したがって、本発明の様々な実施形態は、ＺＰ−ＣＳＩ−ＲＳパラメータに対する参照なしにそれぞれのＩＭＲパラメータを独立して構成することを提供する。
【００５１】
例示的な一実施形態において、本発明は、ＺＰ−ＣＳＩ−ＲＳ構成のために使用されたものと同一のパラメータを使用してＺＰ−ＣＳＩ−ＲＳ構成と独立してＩＭＲの構成を提供する。ＩＥ ＩＭＲ−Ｃｏｎｆｉｇは、Ｅ−ＵＴＲＡＮがサービング周波数に構成できるＩＭＲ構成である。一例において、ＩＭＲ−Ｃｏｎｆｉｇ情報エレメントは、以下の表２に従って提供される。
【００５２】
【表２】
2019180085.tif 000005
【００５３】
ＩＭＲ−Ｃｏｎｆｉｇフィールドディスクリプションは、以下の表３に従って提供される：
【００５４】
【表３】
2019180085.tif 000006
【００５５】
例示的な実施形態において、構成されたＩＭＲのセットが有効ゼロ出力ＣＳＩ−ＲＳ構成に対応しない場合に、ＵＥ動作は、指定されない。
【００５６】
例示的な実施形態において、ユーザデバイスは、構成されたＩＭＲのセットが有効ゼロ出力ＣＳＩ−ＲＳ構成に対応するか否かをチェックする。構成されたＩＭＲのセットが有効ゼロ出力ＣＳＩ−ＲＳ構成に対応しない場合に、新たな動作が指定される。新たな動作の一例は、ゼロ出力ＣＳＩ−ＲＳ構成に加えてＩＭＲ構成に合せたレートマッチングを使用するものである。新たな動作の他の例は、干渉測定が構成されたＩＭＲに基づかず、例えば、ＣＲＳに基づく。
【００５７】
他の例示的な実施形態において、本発明は、ＺＰ−ＣＳＩ−ＲＳ構成のために使用されたものと同一のパラメータを使用してＺＰ−ＣＳＩ−ＲＳ構成を再使用するＩＭＲの構成を提供する。この実施形態において、ＩＭＲの１つ以上のパラメータの構成は、ゼロ出力ＣＳＩ−ＲＳ構成の構成されたパラメータ値に基づく。
【００５８】
一例において、ＩＭＲのサブフレーム構成は、例えば、以下の数式１に従うゼロ出力ＣＳＩ−ＲＳのサブフレーム構成の関数として与えられるものと示されることができる。
【００５９】
【数２】
2019180085.tif 000007
【００６０】
ここで、Ｔｍａｘは、８０まで構成可能な最大周期であり、ＴＣＳＩ−ＲＳ，ＺＰは、３ＧＰＰ  ＴＳ  ３６．２１１で以下の表４で構成されたゼロ出力ＣＳＩ−ＲＳ構成と関連した周期である。ＩＣＳＩ−ＲＳ，ＩＭＲ及びＩＣＳＩ−ＲＳ，ＺＰは、以下の表４のＩＣＳＩ−ＲＳと同一の方式で解釈される。
【００６１】
【表４】
2019180085.tif 000008
【００６２】
本発明は、以下の数式２を使用してｓｕｂｆｒａｍｅ−ｃｏｎｆｉｇインデックスと対応するｏｆｆｓｅｔ／ｐｅｒｉｏｄ．との間の関係ＩＣＳＩ−ＲＳ＝ΔＣＳＩ−ＲＳ＋ＴＣＳＩ−ＲＳ−５を使用する提案されたマッピングを導出する。
【００６３】
【数３】
2019180085.tif 000009
【００６４】
ゼロ出力ＣＳＩ−ＲＳのサブフレーム構成の関数としてＩＭＲのサブフレーム構成に対する等式は、以下の数式３に従って再記録されることができる。
【００６５】
【数４】
2019180085.tif 000010
【００６６】
ここで、変数δＩＭＲの最大範囲は、［０，１，．３０］で与えられる。したがって、Ｅ−ＵＴＲＡＮがサービング周波数に構成するＩＭＲ構成であるＩＭＲ−Ｃｏｎｆｉｇは、以下の表５に従うＩＭＲ−Ｃｏｎｆｉｇ情報要素を含む。
【００６７】
【表５】
2019180085.tif 000011
【００６８】
ＩＭＲ−Ｃｏｎｆｉｇフィールドディスクリプションは、以下の表６に従って提供される。
【００６９】
【表６】
2019180085.tif 000012
【００７０】
もう１つの例示的な実施形態において、本発明は、上述した実施形態で何らの制限もｒｅｓｏｕｒｃｅＣｏｎｆｉｇに課されず、すべての１６個の構成がＩＭＲに対して許容されることを認識する。しかしながら、選択された値は、ゼロ出力ＣＳＩ−ＲＳ構成のビットマップで１つに設定されるＣＳＩ−ＲＳ構成のうちの１つでなければならない。したがって、この例示的な実施形態において、ＺＰ−ＣＳＩ−ＲＳ構成は、次の通りに構成される。ＩＥ  ＣＳＩ−ＲＳ−ＣｏｎｆｉｇＺｅｒｏＴｘＰｏｗｅｒは、レートマッチング目的で送信モード１０を使用する場合にＥ−ＵＴＲＡＮがサービング周波数に構成されるＣＳＩ−ＲＳリソース構成である。ＣＳＩ−ＲＳ−ＣｏｎｆｉｇＺｅｒｏＴｘＰｏｗｅｒ情報要素は、以下の表７に従って提供される。
【００７１】
【表７】
2019180085.tif 000013
【００７２】
ＣＳＩ−ＲＳ−ＣｏｎｆｉｇＺｅｒｏＴｘＰｏｗｅｒディスクリプションは、以下の表８に従って提供される。
【００７３】
【表８】
2019180085.tif 000014
【００７４】
ＺＰ−ＣＳＩ−ＲＳ構成に関する上述した構成（又は類似の構成）で、ＩＭＲ構成は、次の通りに定義される。ＩＥ  ＩＭＲ−Ｃｏｎｆｉｇは、Ｅ−ＵＴＲＡＮがサービング周波数に構成する干渉測定リソース（ＩＭＲ）構成である。ＩＭＲ−Ｃｏｎｆｉｇ情報要素は、以下の表９に従って提供される。
【００７５】
【表９】
2019180085.tif 000015
【００７６】
ＩＭＲ−Ｃｏｎｆｉｇフィールドディスクリプションは、以下の表１０に従って提供される。
【００７７】
【表１０】
2019180085.tif 000016
【００７８】
もう１つの例示的な実施形態において、本発明は、ＩＭＲリソース構成フィールドの解釈がゼロ出力ＣＳＩ−ＲＳ構成に基づいて修正されるＩＭＲ構成を提供する。ＩＥ  ＩＭＲ−Ｃｏｎｆｉｇは、Ｅ−ＵＴＲＡＮがサービング周波数に構成される干渉測定リソース（ＩＭＲ）構成である。ＩＭＲ−Ｃｏｎｆｉｇ情報要素は、以下の表１１に従って提供される。
【００７９】
【表１１】
2019180085.tif 000017
【００８０】
ＩＭＲ−Ｃｏｎｆｉｇフィールドディスクリプションは、以下の表１２に従って提供される。
【００８１】
【表１２】
2019180085.tif 000018
【００８２】
以下に提供されるように、本発明は、ゼロ出力ＣＳＩ−ＲＳ構成であるｓｕｂｆｒａｍｅｃｏｎｆｉｇＩＣＳＩ−ＲＳ，ＺＰとＩＭＲ構成であるｓｕｂｆｒａｍｅｃｏｎｆｉｇＩＣＳＩ−ＲＳ，ＩＭＲとの間の関係を定義する幾つかの例を提供する。
例示的な一実施形態において、ＩＣＳＩ−ＲＳ，ＩＭＲに対するδＩＭＲのマッピングは、以下の表１３に従って提供される。
【００８３】
【表１３】
2019180085.tif 000019
【００８４】
他の例示的な実施形態において、ＩＣＳＩ−ＲＳ，ＩＭＲに対するδＩＭＲのマッピングは、以下の表１４に従って提供される。
【００８５】
【表１４】
2019180085.tif 000020
【００８６】
また他の例示的な実施形態において、ＩＣＳＩ−ＲＳ，ＩＭＲに対するδＩＭＲのマッピングは、以下の表１５に従って提供される。
【００８７】
【表１５】
2019180085.tif 000021
【００８８】
もう１つの例示的な実施形態において、ＩＣＳＩ−ＲＳ，ＩＭＲに対するδＩＭＲのマッピングは、以下の表１６に従って提供される。
【００８９】
【表１６】
2019180085.tif 000022
【００９０】
この実施形態において、δＩＭＲとＩＣＳＩ−ＲＳ，ＩＭＲとの間の関係は、以下の数式４に従って示される。
【００９１】
【数５】
2019180085.tif 000023
【００９２】
ここで、以下のΔＩＩＭＲは、上位レイヤーシグナリングされたパラメータδＩＭＲ及びＩＣＳＩ−ＲＳ，ＺＰに基づく。もう１つの例示的な実施形態において、ΔＩＩＭＲに対するδＩＭＲのマッピングは、以下の表１７に従って提供される。
【００９３】
【表１７】
2019180085.tif 000024
【００９４】
もう１つの例示的な実施形態において、ΔＩＩＭＲに対するδＩＭＲのマッピングは、以下の表１８に従って提供される。
【００９５】
【表１８】
2019180085.tif 000025
【００９６】
他の実施形態において、サブフレーム構成ｉＣＳＩ−ＲＳ，ＩＭＲと関連したパラメータ（すなわち、以前の実施形態で使用されたδＩＭＲと同一である）がＩＭＲサブフレーム構成に直接マッピングするＩＭＲ構成の一部として定義される。以下の表１９は、対（ＩＣＳＩ−ＲＳ，ＺＰ、ｉＣＳＩ−ＲＳ，ＩＭＲ）からＩＭＲサブフレーム構成パラメータへのマッピングを示す。
【００９７】
【表１９】
2019180085.tif 000026
【００９８】
上記で提供されたように、すべてのｉＣＳＩ−ＲＳ，ＩＭＲの値がそれぞれのＩＣＳＩ−ＲＳ，ＺＰに対して使用されることができない。例えば、［０−４］でのＩＣＳＩ−ＲＳ，ＺＰに対しては、ｉＣＳＩ−ＲＳ，ＩＭＲ（０−３０）のすべての値が使用されることができるが、［１５−３４］でのＩＣＳＩ−ＲＳ，ＺＰに対しては、最初３つの列（すなわち、［０−６］）で示されたｉＣＳＩ−ＲＳ，ＩＭＲの値だけが有効に考慮されることができる。
【００９９】
上記のようなＩＭＲ構成のためのＩＭＲ参照信号を含むサブフレームは、
【０１００】
【数６】
2019180085.tif 000027
【０１０１】
を満足する。また、ＩＣＳＩ−ＲＳ，ＺＰ、ＴＣＳＩ−ＲＳ，ＺＰ、ΔＣＳＩ−ＲＳ，ＺＰは、リリース−１０  ＣＳＩ構成又はこれと類似して定義されたリリース−１１  ＺＰ−ＣＳＩ−ＲＳ構成の各サブフレーム構成、関連する周期、及びサブフレームオフセットである。
【０１０２】
ＩＥ  ＩＭＲ−Ｃｏｎｆｉｇは、Ｅ−ＵＴＲＡＮがサービング周波数に構成される干渉測定リソース（ＩＭＲ）構成である。ＩＭＲ−Ｃｏｎｆｉｇ情報要素は、以下の表２０に従って提供される。
【０１０３】
【表２０】
2019180085.tif 000028
【０１０４】
ＩＭＲ−Ｃｏｎｆｉｇフィールドディスクリプションは、以下の表２１に従って提供される。
【０１０５】
【表２１】
2019180085.tif 000029
【０１０６】
これらの実施形態において、ＩＭＲは、ＺＰ−ＣＳＩ−ＲＳ構成が構成された場合のみに構成される。一例において、ＩＭＲが構成されない場合に、ＵＥでの干渉測定は、ＣＲＳに基づく。
【０１０７】
他の例示的な実施形態において、リリース−１０  ＣＳＩ−ＲＳ構成又はゼロ出力ＣＳＩ−ＲＳ構成は、構成されないこともある。この場合に、ＩＣＳＩ−ＲＳ，ＺＰが使用可能でないために、ネットワークは、全ＩＭＲ構成のセットに対応するサブフレーム構成を示すＩＭＲの構成に対して、ＩＣＳＩ−ＲＳ，ＩＭＲｔｏｔの単一の値を示すことができる。このパラメータが個別ＩＭＲのサブフレーム構成に対するＩＣＳＩ−ＲＳ，ＺＰの代りに類似して使用される。このような接近方式で上述した実施形態を修正した一例が下記の表２２に示される。
表２２は、ＩＭＲサブフレーム構成に対するｒｅｌｓｕｂｆｒａｍｅＣｏｎｆｉｇｉＣＳＩ−ＲＳ，ＩＭＲのマッピングを示す。
【０１０８】
【表２２】
2019180085.tif 000030
【０１０９】
他の実施形態において、このような同一の修正事項がＩＣＳＩ−ＲＳ，ＺＰをＩＣＳＩ−ＲＳ，ＩＭＲｔｏｔに置き換えた後に、ＩＭＲのサブフレーム構成に対する対応マッピングを使用することにより、上述した他の実施形態のうちの任意のものに使用される。
【０１１０】
本発明の様々な実施形態に従うと、送信ポイントのセットにわたったＣｏＭＰで、ＩＭＲ構成は、送信ポイントの幾つかからの干渉を反映する特定の干渉仮説に対応し、他の送信ポイントは、ミューティングされる（例えば、非送信）。それぞれのＴＰは、ネットワークにおけるＵＥに対応する異なるＩＭＲ  ＲＥのセットでミューティングする義務を有する。ＰＤＳＣＨデータの送信に対して、動的ポイント選択が使用される場合に、ＵＥは、異なる時間に異なる複数のＴＰからの送信を受信する。これは、送信のために選択されたＴＰ又は複数のＴＰにより異なるＰＤＳＣＨレートマッチングパターンを意味する。
【０１１１】
本発明の実施形態は、ＰＤＳＣＨミューティングパターンがダウンリンクグラントのために使用されるダウンリンク制御フォーマットを使用して動的にシグナリングされることを提供する。ＩＭＲ  ＲＥは、ゼロ出力ＣＳＩ−ＲＳ（ＺＰ−ＣＳＩ−ＲＳ）構成として表現されることもできるために、本発明の実施形態は、上位レイヤーシグナリングによる２個以上のＺＰ−ＣＳＩ−ＲＳ構成を構成し、これらの間で動的に選択することを提供する。リリース−１１で定義された新たな送信モード（すなわち、送信モード１０）に対して、修正されたＤＣＩフォーマット２Ｄ／２Ｃは、このような目的で提供される。
【０１１２】
様々な実施形態において、本発明は、使用される第１のセットのＺＰ−ＣＳＩ−ＲＳ構成又は複数の構成が第１のＤＣＩフォーマットタイプのために上位レイヤーにより構成され、使用される第２のセットのＺＰ−ＣＳＩ−ＲＳ構成又は複数の構成が第２のＤＣＩフォーマットタイプのために上位レイヤーにより構成されることを提供する。一実施形態において、本発明は、使用される第１のセットのＺＰ−ＣＳＩ−ＲＳ構成又は複数の構成がＤＣＩフォーマット１Ａのために上位レイヤーにより構成され、使用される第２のセットのＺＰ−ＣＳＩ−ＲＳ構成又は複数の構成がＤＣＩフォーマット２Ｃ（及び／又はＤＣＩフォーマット２Ｄ）のために上位レイヤーにより構成されることを提供する。
【０１１３】
一方、ＤＣＩフォーマット１Ａは、ＵＥに対するフォールバック送信（fallback transmission）のために使用され、動的シグナリングは、ＤＣＩフォーマットのペイロードの増加を防止するために好ましくない。ＤＣＩフォーマット１Ａに対して、様々な実施形態において、本発明は、ＺＰ−ＣＳＩ−ＲＳ構成又は複数の構成をサポートし、この構成の動的シグナリングをサポートしないことを提供する。ＤＣＩフォーマット１Ａに基づくフォールバックは、ポート７  ＤＭＲＳ（例えば、単一のポート送信方式）又はＣＲＳ（例えば、送信ダイバーシティ送信方式の使用）に基づく。ＣｏＭＰシナリオ４において、共通参照信号（例えば、ＣＲＳ）は、カバレッジのために複数のＴＰから送信されたＳＦＮであり得、ポート７は、セル分割利得（cell splitting gain）のために単一のＴＰから送信され得る。
【０１１４】
したがって、様々な実施形態において、本発明は、少なくとも２個のＺＰ−ＣＳＩ−ＲＳ構成がＤＣＩフォーマット１ＡでＰＤＳＣＨレートマッチングのために構成されることを提供する。これらの２個のＺＰ−ＣＳＩ−ＲＳ構成は、すべてのＴＰに対するミューティングのスーパーセット（super set）を示すＺＰ  ＣＳＩ−ＲＳ構成及び／又は単一のサービングＴＰを示すＺＰ−ＣＳＩ−ＲＳ構成を示す。しかしながら、これらの構成の間では、何らの動的シグナリングも必要とされない。
【０１１５】
一実施形態において、ＤＣＩフォーマット１Ａに対応するＰＤＳＣＨのレートマッチングのために適用されるＺＰ−ＣＳＩ−ＲＳは、ＰＤＳＣＨ送信方式に基づいて少なくとも２個のＺＰ−ＣＳＩ−ＲＳの間で暗黙的に選択される。他の実施形態において、ＤＣＩフォーマット１Ａに対応するＰＤＳＣＨのレートマッチングのために適用されるＺＰ−ＣＳＩ−ＲＳは、ＰＤＳＣＨ送信ポートに基づいて少なくとも２個のＺＰ−ＣＳＩ−ＲＳの間で選択される。また他の実施形態において、ＤＣＩフォーマット１Ａに対応するＰＤＳＣＨのレートマッチングのために適用されるＺＰ−ＣＳＩ−ＲＳは、サブフレームタイプ、すなわち、ＭＢＳＦＮサブフレーム又はノンＭＢＳＦＮサブフレームの中の１つに基づいて少なくとも２個のＺＰ−ＣＳＩ−ＲＳの間で選択される。
【０１１６】
さらにまた他の実施形態において、ＤＣＩフォーマット１Ａに対応するＰＤＳＣＨのレートマッチングのために適用されるＺＰ−ＣＳＩ−ＲＳは、制御チャネルの探索空間タイプ、すなわち、ＵＥ指定探索空間（ＵＥＳＳ）又は共通探索空間（ＣＳＳ）に基づいて少なくとも２個のＺＰ−ＣＳＩ−ＲＳの間で選択される。さらなる他の実施形態において、ＤＣＩフォーマット１Ａに対応するＰＤＳＣＨのレートマッチングのために適用されるＺＰ−ＣＳＩ−ＲＳは、制御チャネルのタイプ、すなわち、強化されたＰＤＣＣＨ（ＤＭＲＳで送信されたｅＰＤＣＣＨ）又はレガシーＰＤＣＣＨ（ＣＲＳを通した送信）に基づいて少なくとも２個のＺＰ−ＣＳＩ−ＲＳの間で選択される。もう１つの実施形態において、ＤＣＩフォーマット１Ａに対応するＰＤＳＣＨのレートマッチングのために適用されるＺＰ−ＣＳＩ−ＲＳは、送信ポート、送信方式、制御チャネルタイプ、及び制御チャネル探索空間タイプの中の１つ以上に基づいて少なくとも２個のＺＰ−ＣＳＩ−ＲＳの間で選択される。
【０１１７】
もう１つの実施形態において、第１の上位レイヤー構成式ＺＰ−ＣＳＩ−ＲＳ構成は、ポート７ＤＭＲＳ基盤単一ポート送信方式に対するＤＣＩフォーマット１Ａに対応するＰＤＳＣＨのレートマッチングのために適用され、第２の上位レイヤー構成式ＺＰ−ＣＳＩ−ＲＳ構成は、ＣＲＳ基盤送信ダイバーシティに対するＤＣＩフォーマット１Ａに対応するＰＤＳＣＨのレートマッチングのために適用される。
【０１１８】
様々な実施形態において、適用可能なゼロ出力ＣＳＩ−ＲＳ構成は、ＤＣＩフォーマット２Ｃ／Ｄのために構成された上位レイヤー構成式ゼロ出力ＣＳＩ−ＲＳ構成のうちの１つに基づくことができる。一例において、ＤＣＩフォーマット２Ｃ／Ｄの２ビット指示子は、以下の表２３に示すように提供される。
【０１１９】
【表２３】
2019180085.tif 000031
【０１２０】
上述した表２３に示すように、ビットフィールドは、全ＰＤＳＣＨレートマッチング情報及び準コロケーション（quasi-colocation：ＱＣＬ）情報を示す。ＰＤＳＣＨレートマッチング情報は、ＣＲＳ位置、ＰＤＳＣＨ開始位置、及びＺＰ−ＣＳＩ−ＲＳ構成により伝達される。準コロケーション情報は、構成されたノンゼロ出力ＣＳＩ−ＲＳのうちのいずれかものが割り当てられたＰＤＳＣＨのＤＭＲＳポートとともに準コロケーションされるものと仮定されることができるかをＵＥに伝達する。準コロケーション仮定は、対応するＣＳＩ−ＲＳ及びＰＤＳＣＨのＤＭＲＳが遅延拡散、ドップラー拡散、周波数シフト、タイミングなどのような特性と関連した一部のチャネル統計を共有するものと仮定することができる。一例において、ＺＰ−ＣＳＩ−ＲＳ構成は、ビットフィールドの値の中の１つ、例えば、‘００’に対応するものとして上位レイヤーにより明示的に表示される。他の例において、ゼロ出力ＣＳＩ−ＲＳ構成は、ビットフィールドの値の中の１つに対応するものとして暗黙的に定義される。１つの方法において、それは、ビットフィールドのもっとも低い値（例えば、‘００'）である。
【０１２１】
本発明の様々な実施形態は、単一のＺＰ−ＣＳＩ−ＲＳ構成でＵＥのために構成されたすべてのＩＭＲをカバーすることを提供する。本発明の実施形態は、単一のＺＰ−ＣＳＩ−ＲＳ構成がＤＣＩフォーマット２Ｄ／Ｃのための動的に構成された複数のＺＰ−ＣＳＩ−ＲＳ構成又はＤＣＩフォーマット１Ａのために使用されたデフォルト構成と関連する方式に対するオプションを提供する。例示的な一実施形態において、上位レイヤー構成式ＺＰ−ＣＳＩ−ＲＳ構成の中の１つは、ＵＥのために構成されたすべてのＩＭＲをカバーするために使用される。上位レイヤー構成式ＺＰ−ＣＳＩ−ＲＳ設定のうちのいずれかがすべてのＩＭＲをカバーするかがまたシグナリングされる。
【０１２２】
他の例示的な実施形態において、第１のデフォルト上位レイヤー構成式ＺＰ−ＣＳＩ−ＲＳ設定がＵＥのために構成されたすべてのＩＭＲをカバーするために使用される。デフォルトＺＰ−ＣＳＩ−ＲＳ構成がＤＣＩフォーマット２Ｄ／Ｃに対応するすべてのＺＰ−ＣＳＩ−ＲＳ構成を含むように構成されることができるために、この実施形態は、好ましい。また、上述したように、２個のデフォルトＺＰ−ＣＳＩ−ＲＳ構成の中の１つは、すべてのＴＰからのＳＦＮ送信に対応し、したがって、ＤＣＩフォーマット２Ｄ／Ｃにより使用されたＺＰ−ＣＳＩ−ＲＳ構成は、このような構成のサブセットである。
【０１２３】
例示的な一実施形態において、すべてのＩＭＲ構成は、デフォルトＺＰ−ＣＳＩ−ＲＳ構成によりカバーされ、デフォルトＺＰ−ＣＳＩ−ＲＳは、ＤＣＩフォーマット１Ａのために使用されたＺＰ−ＣＳＩ−ＲＳ構成のうちの１つである。他の例示的な実施形態において、すべてのＩＭＲ構成は、デフォルトＺＰ−ＣＳＩ−ＲＳ構成によりカバーされ、デフォルトＺＰ−ＣＳＩ−ＲＳは、ＤＣＩフォーマット２Ｃ又は２Ｄのために使用されたＺＰ−ＣＳＩ−ＲＳ構成のうちの１つである。
様々な実施形態において、現在のｓｕｂｆｒａｍｅ−ｃｏｎｆｉｇ定義は、以下の表２４に示すように提供される。
【０１２４】
【表２４】
2019180085.tif 000032
【０１２５】
一例において、個別ＩＭＲのサブフレーム構成は、例えば、以下の数式５に従って、デフォルトゼロ出力ＣＳＩ−ＲＳ構成に対応する単一の構成されたｓｕｂｆｒａｍｅ−ｃｏｎｆｉｇＩＯから以下の通りに得られる。
【０１２６】
【数７】
2019180085.tif 000033
【０１２７】
ここで、Ｔｍａｘは、８０までであるＣＳＩ−ＲＳの最大周期であり、ＴＯは、ＩＯと関連した周期であり、ＩＣＳＩ−ＲＳ，ＩＭＲ及びＩＯは、上記の表２３でのＩＣＳＩ−ＲＳと同一の方式で解釈される。
【０１２８】
図１０は、本発明の様々な実施形態による無線ネットワークにおけるＺＰ−ＣＳＩ−ＲＳ構成の表示及び識別を行うためのプロセスのフローチャートである。例えば、図１０で説明するプロセスは、図５でのＵＥ５０５及びＴＰ５１０又は５１５又はネットワーク５２０のようなネットワークエンティティにより実行される。また、このプロセスは、図１における基地局１０２及びＵＥ１１６により具現される。
【０１２９】
このプロセスは、ネットワークがＺＰ−ＣＳＩ−ＲＳ構成又は複数の構成の表示を有する制御メッセージを生成するものから開始される（ステップ１０００）。例えば、このネットワークは、ＺＰ−ＣＳＩ−ＲＳ構成又は複数の構成の上位レイヤーシグナリングを提供できる。一例において、上位レイヤーシグナリングは、例えば、表２３に示すＺＰ−ＣＳＩ−ＲＳ構成又は複数の構成に対してビットフィールド値のマッピングを提供できる。一例において、ＰＤＳＣＨレートマッチングのためのＺＰ−ＣＳＩ−ＲＳ構成の表示は、制御メッセージ内のＺＰ−ＣＳＩ−ＲＳ構成タイプフィールドに明示的に表示される。他の例において、ＰＤＳＣＨレートマッピングのためのＺＰ−ＣＳＩ−ＲＳ構成は、ＤＣＩフォーマットにより他のフィールド又は送信パラメータから推論されることができるように暗黙的に表示される。この例において、ネットワークは、ＤＣＩフォーマット１Ａのために使用される第１のＺＰ−ＣＳＩ−ＲＳ構成又は複数の構成のセットを構成し、また、第２のＺＰ−ＣＳＩ−ＲＳ構成又は複数の構成がＤＣＩフォーマット２Ｄ又は２Ｃのために使用されるように構成される。
【０１３０】
ネットワークは、ＤＣＩフォーマットの表示を有する制御メッセージを生成する（ステップ１００５）。例えば、ステップ１００５において、この制御メッセージは、ＤＣＩによるＤＬ割り当ての動的シグナリングであり得る。その後に、ネットワークが制御メッセージを受信し、ＵＥがこれを受信する（ステップ１０１０）。例えば、上位レイヤーシグナリング制御メッセージ及び動的シグナリング制御メッセージが異なる時点でネットワークによる生成及び／又は送信が行われる。その後に、ＵＥは、制御メッセージからＤＣＩフォーマットを識別する（ステップ１０１５）。例えば、ステップ１０１５において、ＵＥは、ＤＣＩフォーマットがＤＣＩフォーマット１Ａ又はＤＣＩフォーマット２Ｄであることを制御メッセージから識別する。
【０１３１】
その後に、ＵＥは、ＺＰ−ＣＳＩ−ＲＳ構成を識別する（ステップ１０２０）。例えば、ステップ１０２０において、ＤＣＩフォーマットがＤＣＩフォーマット２Ｄ又は２Ｃである場合に、ＵＥは、制御メッセージ内の明示的な構成の表示から第２のセットの中のどのＺＰ−ＣＳＩ−ＲＳ構成をＰＤＳＣＨレートマッチングに使用するものであるかを識別できる。他の例において、ＤＣＩフォーマットがＤＣＩフォーマット１Ａである場合に、ＵＥは、ＰＤＳＣＨ送信がアンテナポート７に関するものであるとき、ＰＤＳＣＨレートマッチングのための第１のセットの中で第１のＺＰ−ＣＳＩ−ＲＳ構成を使用し、識別されたＤＣＩフォーマットがＤＣＩフォーマット１Ａであり、ＰＤＳＣＨ送信が１つ以上のＣＲＳアンテナポートに関するものであるときは、ＰＤＳＣＨレートマッチングのための第１のセットの中で第２のＺＰ−ＣＳＩ−ＲＳ構成を使用するものと決定できる。この例において、アンテナポート７に関するＰＤＳＣＨ送信は、単一ポート送信方式に基づき、１つ以上のＣＲＳアンテナポートに関するＰＤＳＣＨ送信は、送信ダイバーシティ送信方式又は単一ポート送信方式に基づく。この例において、ＵＥは、制御メッセージ内のビットフィールドの値の中の１つに基づいて暗黙的な表示からＺＰ−ＣＳＩ−ＲＳ構成を識別する。一例において、ＵＥは、ビットフィールドのもっとも低い値を使用する（例えば、‘００’）。
【０１３２】
その後に、ＵＥは、識別されたＺＰ−ＣＳＩ−ＲＳ構成に基づいてＰＤＳＣＨレートマッチングを識別する（ステップ１０２５）。例えば、ステップ１０２５において、ＰＤＳＣＨのために使用されたＤＣＩフォーマットタイプ及びアンテナポートにより、ＵＥは、ＰＤＳＣＨデコーディングに合せてレートマッチングされるＺＰ−ＣＳＩ−ＲＳを決定する。ＵＥは、識別されたＺＰ−ＣＳＩ−ＲＳ構成を使用してＰＤＳＣＨ送信でＩＭＲ  ＲＥが提供されているレートを識別する。また、ＵＥは、ＰＤＳＣＨ送信でどのＲＥがゼロ出力でありデコーディングされる必要がないかを識別する。
【０１３３】
図１０は、本発明の様々な実施形態による無線ネットワークにおけるＺＰ−ＣＳＩ−ＲＳ構成の表示及び識別を行うための例示的なプロセスを示したが、図１０に対する様々な変形がなされる。例えば、一連のステップが提示されたが、各図面での様々なステップは、重複するか、並列に発生するか、異なる順序で発生するか、又は複数回発生する。
【０１３４】
本発明は、例示的な実施形態とともに説明されたが、様々な変形及び修正が可能であることは、当該技術分野における当業者には明らかである。本発明は、添付の特許請求の範囲内で上記のような変形及び修正を含む。
【符号の説明】
【０１３５】
１００  無線システム
１０１−１０３  基地局
１１１−１１６  ユーザ端末
１２０  サービスエリア
１２５  サービスエリア
１３０  ネットワーク
２００  送信経路回路
２０５  チャネル符号化及び変調ブロック
２１０  直列−並列ブロック
２１５  サイズＮ逆高速フーリエ変換ブロック
２２０  並列−直列ブロック
２２５  サイクリックプレフィックス付加ブロック
２３０  アップコンバータ
２５５  ダウンコンバータ
２６０  サイクリックプレフィックス除去ブロック
２６５  直列−並列ブロック
２７０  ＦＦＴブロック
２７５  並列−直列ブロック
２８０  チャネルデコーディング及び復調ブロック
３００  受信経路回路
４０５  送信器
４１０  受信器
４１５  アンテナ
４２０  位相シフタ
４２５  Ｔｘ処理回路
４３０  制御器
４３５  アンテナ
４４５  Ｒｘ処理回路
４５０  制御器
５００  ＣｏＭＰ通信システム
５０５  ＵＥ
５１０  ＴＰ
５２０  ネットワーク
【図１】
2019180085.tif 000034
【図２】
2019180085.tif 000035
【図３】
2019180085.tif 000036
【図４】
2019180085.tif 000037
【図５】
2019180085.tif 000038
【図６】
2019180085.tif 000039
【図７】
2019180085.tif 000040
【図８】
2019180085.tif 000041
【図９】
2019180085.tif 000042
【図１０】
2019180085.tif 000043